(57)【特許請求の範囲】
【請求項１】
昇降自在に支持されたキャリヤに、駆動部から回転を伝達される中空出力軸を回転自在に支持し、該出力軸下端に中空掘削作業ロッドを着脱自在に接続すると共に、該出力軸上端に、固定側円筒内に回転側中空軸を気密状態で回転自在に嵌合してなるスイベル装置を、その回転側中空軸において、一直線上に接続した掘削機において、
上記スイベル装置が、その回転側中空軸内の縦通孔およびそれと連通する上記出力軸内の縦通孔により上記掘削作業ロッド内に開通する直線状流体供給路を具備し、上記流体供給路内に内装パイプを、該流体供給路内面全面を覆う状態に、挿脱自在に挿通した、
掘削機におけるスイベル装置。
【発明の詳細な説明】
【０００１】
【発明の属する技術分野】
本発明は、各種掘削機においてセメントミルク、ベントナイト液、水、空気等の流体を掘削作業ロッドを通じて地中へ噴射するため、該流体を掘削作業ロッド内へ供給する流体供給路を有するスイベル装置に関する。
【０００２】
【従来の技術】
従来、マストに昇降自在に支持されたキャリアに駆動部を搭載すると共に該駆動部から回転を伝達される中空出力軸を回転自在に支承し、そして固定側円筒内に回転側中空軸を気密状態で回転自在に嵌合してなるスイベル装置を、その回転側中空軸において上記出力軸上端に、その固定側円筒において上記キャリアにそれぞれ固定し、上記出力軸下端には中空スクリューロッドを一直線上に接続した掘削機において、上記スイベル装置として、その回転側中空軸内の縦通孔およびそれと連通する上記出力軸内の縦通孔により形成される上記中空スクリューロッドに開通する流体供給路を備えたものが広く知られている。
【０００３】
しかし、従来のスイベル装置では、その流体供給路にセメントミルク等の凝固性薬液を通し、その残滓が供給路内面に付着した場合、その清掃を行うためには上記スイベル装置とキャリアおよび出力軸との分離、および上記出力軸とスクリューロッドとの分離を行わなければならないため、多くの場合清掃を怠りがちとなり、そのため上記の付着した残滓が次第に堆積して供給路を狭め、遂には梗塞状態に至ることがあり、また上記供給路をセメントミルクの供給に使用した後エアの供給に使用した場合、上記残滓がエアに運ばれて供給路内を移動し、それが供給路の狭い個所に集中して閉塞を招くこともある。
【０００４】
【発明が解決しようとする課題】
本発明は、流体供給路の清掃が容易に行えるように改良することを課題とする。
【０００５】
【課題解決の手段】
上記課題解決の手段として、本発明は、
昇降自在に支持されたキャリヤに、駆動部から回転を伝達される中空出力軸を回転自在に支持し、該出力軸下端に中空掘削作業ロッドを着脱自在に接続すると共に、該出力軸上端に、固定側円筒内に回転側中空軸を気密状態で回転自在に嵌合してなるスイベル装置を、その回転側中空軸において、一直線上に接続した掘削機において、
上記スイベル装置の回転側中空軸内の縦通孔およびそれと連通する上記出力軸内の縦通孔により、上記掘削作業ロッド内に開通する直線状流体供給路を具備し、上記流体供給路内に内装パイプを、該流体供給路内面全面を覆う状態に、挿脱自在に挿通した、
掘削機におけるスイベル装置を提案する。
【０００６】
本発明における上記「掘削作業ロッド」とは、連続スクリューまたは断続スクリューを有するスクリューロッド、撹拌羽根を有する撹拌ロッド、撹拌羽根および断続スクリューを有する撹拌ロッド等の下端に掘削ヘッドを接続された各種の掘削作業ロッドを行うロッドを含む。
以下図面を参照して本発明の実施例について説明する。
【０００７】
【実施例】
図１、２において、ベースマシン（１）の前端部にマスト（２）を垂直に支持し、該マスト（２）に長手方向に沿って敷設されたスライドレール（３）、（３）に駆動部（４）をスライド金具（５）…を介して上下摺動自在に支持させると共にトップシーブブロック（６）から垂下したワイヤ（７）により昇降自在に吊支し、この駆動部（４）は、キャリア（８）の下部に設置されたギヤボックス（９）の後部上面にモータ（１０）および減速機（１１）を載置すると共に、ギヤボックス（９）の前部に、中空出力軸（１２）を、該ギヤボックス（９）を垂直に貫通した状態で、ベアリング（１３）、（１４）を介して回転自在に支承し、該出力軸（１２）に、上記減速機（１１）のギヤボックス（９）内減速軸（１５）から歯車列（１６）、（１７）を介して減速回転が伝達されるように構成され、この出力軸（１２）のギヤボックス（９）からの突出下端にフランジ継手（１８）を介して差しこみ穴を有するメス継手（１９）を一直線上に取りつけ、該メス継手（１９）に中空スクリューロッド（２０）を、その中空オス継手（２１）を差しこみ、コッターピン（２２）、（２２）を打ちこんで一直線上に接続し、上記出力軸（１２）のギヤボックス（９）からの突出上端には、上記スクリューロッド（２０）内に薬液を供給するためのスイベル装置（２３）を装着してある。
【０００８】
上記スイベル装置（２３）の構造は次のようである。スイベル本体は固定側円筒（２４）と、それに気密状態で回転自在に嵌合する回転側中空軸（２５）とからなり、前者（２４）は、その円筒内周面に環状溝（２６）を形成すると共に該環状溝（２６）内に相当する周壁に流体供給口（２７）を設け、該供給口（２７）に外部からの流体供給管（２８）を接続してあり、この固定側円筒（２４）を上記ギヤボックス（９）の上部にボルト（２９）…により固定してある。
【０００９】
後者（２５）はその中空軸外周面に上記環状溝（２６）と対応する位置で環状溝（３０）を形成すると共に該環状溝（３０）内に相当する周壁に２つの連通窓（３１）、（３１）を設けてあり、この回転側中空軸（２５）を、固定側円筒（２４）内に回転自在に嵌合した状態で、下端フランジにおいて上記出力軸（１２）の上端にボルト（３２）…により一直線上に接続してある。
【００１０】
上記のように接続された回転側中空軸（２５）の縦通孔（３３）を、これと同径の上記中空出力軸（１２）の縦通孔（３４）と一直線上において連通させると共に、該縦通孔（３４）の開口下端を上記メス継手（１９）の差しこみ穴内に開通させ、それにより上記縦通孔（３３）、（３４）により、上記中空オス継手（２１）の通孔（３５）を介してスクリューロッド（２０）の縦通孔（３６）に開通する一直線状の流体供給路（Ｐ）を形成し、該供給路（Ｐ）に内装パイプ（３７）を挿脱自在に挿通してある。（３８）は回転側中空軸（２５）の縦通孔（３３）上端を閉止する蓋板で、ボルト（３９）…により着脱自在に固定される。
【００１１】
上記内装パイプ（３７）は、特に図３に示すように上端寄りの周壁に、上記回転側中空軸（２５）の連通窓（３１）、（３１）に対応する位置に、それと同形、同寸法の連通窓（４０）、（４０）を設けると共に、該連通窓（４０）、（４０）の上下両側に、パイプ本体よりも若干大径のフランジ部（４１）、（４２）を、最下端にそれよりさらに大径のフランジ部（４３）をそれぞれ形成し、上記フランジ部（４１）、（４２）の外周面にゴムリング等のタイト材（４４）、（４４）を嵌めつけたもので、この内装パイプ（３７）を上記メス継手（１９）の差しこみ穴から上記流体供給路（Ｐ）内に挿入し、図２のように下端フランジ部（４３）の下にストップリング（４５）を弾着して内装パイプ（３７）を抜け止め状態に保持してある。
【００１２】
上例の作用を次に説明する。モータ（１０）の始動によりスクリューロッド（２０）を回転させて縦孔掘削を開始し、所定深さの縦孔を掘削したらセメントミルクを供給管（２８）に圧送すると、該セメントミルクはスイベル装置の固定側円筒（２４）の供給口（２７）から回転側中空軸（２５）の連通窓（３１）、（３１）および内装パイプ（３７）の連通窓（４０）、（４０）を経て内装パイプ（３７）内を流下し、ついでオス継手（２１）の通孔（３５）を経てスクリューロッド（２０）の縦通孔（３６）を通ってロッド下端の噴射口から縦孔内に噴射される。
【００１３】
所定の作業を終了したら、コッターピン（２２）、（２２）を抜き、オス継手（２１）をメス継手（１９）から離脱してスクリューロッド（２０）を出力軸（１２）と分離し、その状態でストップリング（４５）を外して内装パイプ（３７）を下方へ引き抜く。引き抜いた内装パイプ（３７）はブラシ、放水等を用いてパイプ内に残るセメント分を除去し、ついで上記メス継手（１９）の差しこみ孔から再び流体供給路（Ｐ）に挿通止着して次の作業に準える。流体供給路（Ｐ）の内面は常に清浄に保たれる。
【００１４】
上記スイベル装置を利用してセメントミルクとエアの２種の流体を供給するため、上記内装パイプ（３７）を引き抜いた後図４に示すように上記内装パイプ（３７）より小径の仕切パイプ（４６）を流体供給路（Ｐ）に挿通して該流体供給路（Ｐ）を内外２重路に形成し、その内側路（Ｐ1）をセメントミルク供給路に、外側路（Ｐ2）をエア供給路にし、エアを、上記供給口（２７）に新たに接続されたエア供給管（４７）から圧送した場合、上記外側路（Ｐ2）の外側内面は上記内装パイプ（３７）により清浄に保たれていたので、エアの流通に支障がない。
【００１５】
なお、上記内側路（Ｐ1）へのセメントミルク供給は、図４に示すように回転側円筒（４８）に固定側中空軸（４９）を回転自在に嵌合してなるスイベル装置（５０）により行う。
【００１６】
【発明の効果】
本発明の掘削機におけるスイベル装置によれば、流体供給路に内装パイプを挿脱自在に挿通したから、流体供給路にセメントミルク等の凝固性薬液を通し、該薬液の残滓が内装パイプに付着しても、その清掃においては、出力軸と掘削作業ロッドを分離するだけで内装パイプを抜き取り、十分に清掃することができ、清掃作業が容易簡便に実施できるようになり、また、凝固性薬液供給後エア供給に切換えたい場合は、上記内装パイプを抜き取れば清浄なエア用供給路が直ちにえられ、支障のないエア供給を実施できるのである。
【図面の簡単な説明】
【図１】掘削機の側面図である。
【図２】スイベル装置部分の拡大縦断側面図である。
【図３】内装パイプの一部切欠拡大側面図である。
【図４】他の使用例のスイベル装置部分の一部省略拡大縦断側面図である。
【符号の説明】
８  キャリア
１０  モータ
１１  減速機
１２  出力軸
２３  スイベル装置
２４  固定側円筒
２５  回転側中空軸
３３、３４  縦通孔
Ｐ  流体供給路
３７  内装パイプ
【図１】
0003780491.tif 000002
【図２】
0003780491.tif 000003
【図３】
0003780491.tif 000004
【図４】
0003780491.tif 000005